(57)【要約】【課題】ダウンリンクのみのセルの最適なエリア設計のための情報をより効率的に収集することを可能にすること。【解決手段】本発明の装置は、基地局に対して端末装置が行う報告の条件に関する報告条件情報を取得する情報取得部と、上記報告条件情報を上記端末装置へ送信する通信処理部と、を備える。上記報告は、ダウンリンクのみのセルについてのＭＤＴ（Minimization  of  Drive  Tests）測定の開始又は終了を決定するために用いられる報告である。【選択図】図６
2017043475.tif 000002
【特許請求の範囲】
【請求項１】
基地局に対して端末装置が行う報告の条件に関する報告条件情報を取得する情報取得部と、
前記報告条件情報を前記端末装置へ送信する通信処理部と、
を備え、
前記報告は、ダウンリンクのみのセルについてのＭＤＴ（Minimization  of  Drive  Tests）測定の開始又は終了を決定するために用いられる報告である、
装置。
【請求項２】
前記報告条件情報に基づいて前記端末装置により行われる報告に応じて、前記ＭＤＴ測定の開始又は終了を決定する制御部、をさらに備える、請求項１に記載の装置。
【請求項３】
前記通信処理部は、前記ＭＤＴ測定の開始又は終了を指示するメッセージを前記端末装置へ送信する、請求項２に記載の装置。
【請求項４】
前記報告条件情報は、前記ダウンリンクのみのセルの測定値と比較される閾値を示す、請求項１〜３のいずれか１項に記載の装置。
【請求項５】
前記報告の前記条件は、前記測定値が前記閾値よりも良くなること、又は、前記測定値が前記閾値よりも悪くなることを含む、請求項４に記載の装置。
【請求項６】
前記測定値が前記閾値よりも良くなる場合に前記端末装置により行われる報告に応じて、前記ＭＤＴ測定の開始を決定する制御部、をさらに備える、請求項４又は５に記載の装置。
【請求項７】
前記測定値が前記閾値よりも悪くなる場合に前記端末装置により行われる報告に応じて、前記ＭＤＴ測定の終了を決定する制御部、をさらに備える、請求項４〜６のいずれか１項に記載の装置。
【請求項８】
前記報告条件情報は、前記ダウンリンクのみのセルを示す、請求項１〜７のいずれか１項に記載の装置。
【請求項９】
前記装置は、前記基地局、前記基地局のための基地局装置、又は当該基地局装置のためのモジュールである、請求項１〜８のいずれか１項に記載の装置。
【請求項１０】
前記ダウンリンクのみのセルは、前記基地局とは異なる他の基地局のセルである、請求項９に記載の装置。
【請求項１１】
前記報告条件情報は、前記他の基地局により前記基地局へ送信される情報である、請求項１０に記載の装置。
【請求項１２】
前記他の基地局から前記基地局への前記端末装置のハンドオーバに応じて、前記ＭＤＴ測定の開始を決定する制御部、をさらに備える、請求項１０又は１１に記載の装置。
【請求項１３】
前記制御部は、前記端末装置における前記ダウンリンクのみのセルの測定値が閾値よりも良ければ、前記ハンドオーバに応じて前記ＭＤＴ測定の開始を決定する、請求項１２に記載の装置。
【請求項１４】
前記基地局から前記他の基地局への前記端末装置のハンドオーバの決定に応じて、前記ＭＤＴ測定の終了を決定する制御部、をさらに備える、請求項１０〜１３のいずれか１項に記載の装置。
【請求項１５】
測定期間の満了に応じて前記ＭＤＴ測定の終了を決定する制御部をさらに備える、請求項１〜１４のいずれか１項に記載の装置。
【請求項１６】
基地局に対して端末装置が行う報告の条件に関する報告条件情報であって、当該基地局により送信される当該報告条件情報を取得する情報取得部と、
前記報告条件情報に基づいて、ダウンリンクのみのセルについての報告を行う報告部と、
を備え、
前記報告は、前記ダウンリンクのみのセルについてのＭＤＴ測定の開始又は終了を決定するために用いられる報告である、
装置。
【請求項１７】
前記報告条件情報は、前記ダウンリンクのみのセルの測定値と比較される閾値を示し、
前記報告部は、前記測定値が前記閾値よりも良くなる場合に、前記ダウンリンクのみのセルについての前記報告を行う、
請求項１６に記載の装置。
【請求項１８】
前記報告条件情報は、前記ダウンリンクのみのセルの測定値と比較される閾値を示し、
前記報告部は、前記測定値が前記閾値よりも悪くなる場合に、前記ダウンリンクのみのセルについての前記報告を行う、
請求項１６又は１７に記載の装置。
【請求項１９】
前記ＭＤＴ測定の開始又は終了を指示するメッセージであって、前記基地局により送信される当該メッセージの受信に応じて、前記ＭＤＴ測定を開始し又は終了する測定部、をさらに備える、請求項１６〜１８のいずれか１項に記載の装置。
【請求項２０】
基地局に対して端末装置が行う報告の条件に関する報告条件情報を取得する情報取得部と、
前記報告条件情報を前記基地局へ送信する通信処理部と、
を備え、
前記報告は、ダウンリンクのみのセルについてのＭＤＴ測定の開始又は終了を決定するために用いられる報告である、
装置。
【請求項２１】
前記ＭＤＴ測定は、接続モードでのＭＤＴ測定である、請求項１〜２０のいずれか１項に記載の装置。
【請求項２２】
前記ＭＤＴ測定は、Ｉｍｍｅｄｉａｔｅ  ＭＤＴ測定である、請求項２１に記載の装置。
【請求項２３】
前記ダウンリンクのみのセルは、ダウンリンク専用帯域のセルである、請求項１〜２２のいずれか１項に記載の装置。
【請求項２４】
前記ダウンリンク専用帯域は、Ｂａｎｄ  ２９又はＢａｎｄ３２である、請求項２３に記載の装置。
【請求項２５】
前記報告は、測定報告である、請求項１〜２４のいずれか１項に記載の装置。
【請求項２６】
基地局に対して端末装置が行う報告の条件に関する報告条件情報を取得することと、
前記報告条件情報を前記端末装置へ送信することと、
を含み、
前記報告は、ダウンリンクのみのセルについてのＭＤＴ測定の開始又は終了を決定するために用いられる報告である、
方法。
【請求項２７】
基地局に対して端末装置が行う報告の条件に関する報告条件情報であって、当該基地局により送信される当該報告条件情報を取得することと、
前記報告条件情報に基づいて、ダウンリンクのみのセルについての報告を行うことと、
を含み、
前記報告は、前記ダウンリンクのみのセルについてのＭＤＴ測定の開始又は終了を決定するために用いられる報告である、
方法。
【請求項２８】
基地局に対して端末装置が行う報告の条件に関する報告条件情報を取得することと、
前記報告条件情報を前記基地局へ送信することと、
を含み、
前記報告は、ダウンリンクのみのセルについてのＭＤＴ測定の開始又は終了を決定するために用いられる報告である、
方法。
【請求項２９】
基地局に対して端末装置が行う報告の条件に関する報告条件情報を当該端末装置へ送信する当該基地局と、
前記報告条件情報に基づいて、ダウンリンクのみのセルについての報告を行う前記端末装置と、
を含み、
前記報告は、前記ダウンリンクのみのセルについてのＭＤＴ測定の開始又は終了を決定するために用いられる報告である、
システム。
【請求項３０】
基地局において、当該基地局に対して端末装置が行う報告の条件に関する報告条件情報を当該端末装置へ送信することと、
前記端末装置において、前記報告条件情報に基づいて、ダウンリンクのみのセルについての報告を行うことと、
を含み、
前記報告は、前記ダウンリンクのみのセルについてのＭＤＴ測定の開始又は終了を決定するために用いられる報告である、
方法。
【請求項３１】
基地局に対して端末装置が行う報告の条件に関する報告条件情報を取得することと、
前記報告条件情報を前記端末装置へ送信することと、
をプロセッサに実行させるためのプログラムであり、
前記報告は、ダウンリンクのみのセルについてのＭＤＴ測定の開始又は終了を決定するために用いられる報告である、
プログラム。
【請求項３２】
基地局に対して端末装置が行う報告の条件に関する報告条件情報を取得することと、
前記報告条件情報を前記端末装置へ送信することと、
をプロセッサに実行させるためのプログラムを記録した読み取り可能な記録媒体であり、
前記報告は、ダウンリンクのみのセルについてのＭＤＴ測定の開始又は終了を決定するために用いられる報告である、
記録媒体。
【請求項３３】
基地局に対して端末装置が行う報告の条件に関する報告条件情報であって、当該基地局により送信される当該報告条件情報を取得することと、
前記報告条件情報に基づいて、ダウンリンクのみのセルについての報告を行うことと、
をプロセッサに実行させるためのプログラムであり、
前記報告は、前記ダウンリンクのみのセルについてのＭＤＴ測定の開始又は終了を決定するために用いられる報告である、
プログラム。
【請求項３４】
基地局に対して端末装置が行う報告の条件に関する報告条件情報であって、当該基地局により送信される当該報告条件情報を取得することと、
前記報告条件情報に基づいて、ダウンリンクのみのセルについての報告を行うことと、
をプロセッサに実行させるためのプログラムを記録した読み取り可能な記録媒体であり、
前記報告は、前記ダウンリンクのみのセルについてのＭＤＴ測定の開始又は終了を決定するために用いられる報告である、
記録媒体。
【請求項３５】
基地局に対して端末装置が行う報告の条件に関する報告条件情報を取得することと、
前記報告条件情報を前記基地局へ送信することと、
をプロセッサに実行させるためのプログラムであり、
前記報告は、ダウンリンクのみのセルについてのＭＤＴ測定の開始又は終了を決定するために用いられる報告である、
プログラム。
【請求項３６】
基地局に対して端末装置が行う報告の条件に関する報告条件情報を取得することと、
前記報告条件情報を前記基地局へ送信することと、
をプロセッサに実行させるためのプログラムを記録した読み取り可能な記録媒体であり、
前記報告は、ダウンリンクのみのセルについてのＭＤＴ測定の開始又は終了を決定するために用いられる報告である、
記録媒体。
【請求項３７】
前記装置は、前記端末装置、又は前記端末装置のためのモジュールである、請求項１６〜１９のいずれか１項に記載の装置。
【請求項３８】
前記装置は、コアネットワークノード、又はコアネットワークノードのためのモジュールである、請求項２０に記載の装置。
【発明の詳細な説明】
【技術分野】
【０００１】
本発明は、ＭＤＴ（Minimization  of  Drive  Tests）測定に関連する装置、方法及びシステムに関する。
【背景技術】
【０００２】
ＵＥ（User  Equipment）のユーザプレーン（User  Plane：U-Plane）のスループット向上を目的として、複数のセルを束ねて（aggregate）使用する技術がある。当該技術は、キャリアアグリゲーション（Carrier  Aggregation：ＣＡ）と呼ばれ、非特許文献１に開示されている。【０００３】
近年では、ダウンリンク（downlink：ＤＬ）向けのサービスが多く、アップリンク（Uplink：ＵＬ）よりもＤＬのスループットの向上が求められている。これに関連して、非特許文献２には、Ｂａｎｄ  ２９及びＢａｎｄ  ３２がＤＬ専用帯域として定義されている。当該ＤＬ専用帯域のセルは、ＵＥが接続モード（又は接続状態）である場合に、セカンダリセルとして使用されるが、プライマリセルとして使用されない。また、上記ＤＬ専用帯域のセルは、ＤＬのみのセル（DL  only  cell）であり、ＵＥがアイドルモード（又はアイドル状態）である場合に行うセル選択（Cell  Selection）及びセル再選択（Cell  Reselection）の対象外である。【０００４】
さらに、３ＧＰＰのＬＴＥ−Ａｄｖａｎｃｅｄでは、ＭＤＴ機能が仕様化された。当該ＭＤＴ機能は、ＯＰＥＸ（operation  expenditure）低減を目的として、走行試験を代替する機能である。ＭＤＴでは、ＵＥによる測定（measurements）から得られる情報がネットワーク側で収集され、カバレッジ問題の検出が行われる。これは、非特許文献３に開示されている。ＭＤＴに関する測定及び収集の手法として、Ｌｏｇｇｅｄ  ＭＤＴ及びＩｍｍｅｄｉａｔｅ  ＭＤＴという２つの手法がある。Ｌｏｇｇｅｄ  ＭＤＴは、アイドルモードのＵＥに測定を行わせ、当該ＵＥが接続状態になった際に当該測定の結果を当該ＵＥに報告させる手法である。Ｉｍｍｅｄｉａｔｅ  ＭＤＴは、接続モードのＵＥに測定を行わせ、当該測定の結果を当該ＵＥに報告させる手法である。なお、非特許文献４には、これらの測定についてのＲＲＣ（Radio  Resource  Control）手続きが開示されている。
【先行技術文献】
【非特許文献】
【０００５】
【非特許文献１】3GPP  TS  36.300  V12.5.0  (2015-03)  3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  12)
【非特許文献２】3GPP  TS  36.101  V12.7.0  (2015-03)  3rd  Generation  Partnership  Project;  Technical  Specification  Group  Radio  Access  Network;  Evolved  Universal  Terrestrial  Radio  Access  (E-UTRA);  User  Equipment  (UE)  radio  transmission  and  reception  (Release  12)
【非特許文献３】3GPP  TS  37.320  V12.2.0  (2014-09)  3rd  Generation  Partnership  Project;  Technical  Specification  Group  Radio  Access  Network;  Universal  Terrestrial  Radio  Access  (UTRA)  and  Evolved  Universal  Terrestrial  Radio  Access  (E-UTRA);  Radio  measurement  collection  for  Minimization  of  Drive  Tests  (MDT);  Overall  description;  Stage  2  (Release  12)
【非特許文献４】3GPP  TS  36.331  V12.5.0  (2015-03)  3rd  Generation  Partnership  Project;  Technical  Specification  Group  Radio  Access  Network;  Evolved  Universal  Terrestrial  Radio  Access  (E-UTRA);  Radio  Resource  Control  (RRC);  Protocol  Specification  (Release  12)
【発明の概要】
【発明が解決しようとする課題】
【０００６】
上述したように、非特許文献２に定義されているＤＬ専用帯域（例えば、Ｂａｎｄ  ２９、３２）のセルは、ＤＬのみのセルであり、セカンダリセルとして使用される。具体的には、例えば、ＤＬのみのセルは、プライマリセルとして使用されるセルのカバレッジエレリア内に配置され、当該プライマリセルとともにセカンダリセルとして使用される。当該プライマリセルと当該セカンダリセル（即ち、ＤＬのみのセル）とは、同じｅＮＢ（evolved  Node  B）のセルである。【０００７】
上記セカンダリセルのカバレッジは、上記プライマリセルのカバレッジ外で且つ他のセル（他のｅＮＢのセル）のカバレッジ内のエリアまで及ぶ可能性がある。上記セカンダリセルのカバレッジのうちの当該エリアは、利用不能なカバレッジ（unavailable  coverage）であり、無駄なカバレッジである。このような利用不能なカバレッジ（又は無駄なカバレッジ）は、他のセルへの干渉の要因となり得る。最適なエリア設計のために、このような利用不能なカバレッジに関する情報が、ＭＤＴにより収集されることが望ましい。【０００８】
しかし、ＵＥは、Ｉｍｍｅｄｉａｔｅ  ＭＤＴ測定として、上述したような利用不能なカバレッジに関する情報の収集には不要な測定も行い得る。例えば、ＵＥは、周期的な測定、及び／又は、イベントトリガの測定を行い、その結果、上述したような利用不能なカバレッジから離れたエリアの測定も行い得る。このように、情報の収集が非効率的になり得る。【０００９】
本発明の目的は、ダウンリンクのみのセルの最適なエリア設計のための情報をより効率的に収集することを可能にすることにある。
【課題を解決するための手段】
【００１０】
本発明の第１の装置は、基地局に対して端末装置が行う報告の条件に関する報告条件情報を取得する情報取得部と、上記報告条件情報を上記端末装置へ送信する通信処理部と、を備える。上記報告は、ダウンリンクのみのセルについてのＭＤＴ（Minimization  of  Drive  Tests）測定の開始又は終了を決定するために用いられる報告である。【００１１】
本発明の第２の装置は、基地局に対して端末装置が行う報告の条件に関する報告条件情報であって、当該基地局により送信される当該報告条件情報を取得する情報取得部と、上記報告条件情報に基づいて、ダウンリンクのみのセルについての報告を行う報告部と、を備える。上記報告は、上記ダウンリンクのみのセルについてのＭＤＴ測定の開始又は終了を決定するために用いられる報告である。【００１２】
本発明の第３の装置は、基地局に対して端末装置が行う報告の条件に関する報告条件情報を取得する情報取得部と、上記報告条件情報を上記基地局へ送信する通信処理部と、を備える。上記報告は、ダウンリンクのみのセルについてのＭＤＴ測定の開始又は終了を決定するために用いられる報告である。【００１３】
本発明の第１の方法は、基地局に対して端末装置が行う報告の条件に関する報告条件情報を取得することと、上記報告条件情報を上記端末装置へ送信することと、を含む。上記報告は、ダウンリンクのみのセルについてのＭＤＴ測定の開始又は終了を決定するために用いられる報告である。【００１４】
本発明の第２の方法は、基地局に対して端末装置が行う報告の条件に関する報告条件情報であって、当該基地局により送信される当該報告条件情報を取得することと、上記報告条件情報に基づいて、ダウンリンクのみのセルについての報告を行うことと、を含む。上記報告は、上記ダウンリンクのみのセルについてのＭＤＴ測定の開始又は終了を決定するために用いられる報告である。【００１５】
本発明の第３の方法は、基地局に対して端末装置が行う報告の条件に関する報告条件情報を取得することと、上記報告条件情報を上記基地局へ送信することと、を含む。上記報告は、ダウンリンクのみのセルについてのＭＤＴ測定の開始又は終了を決定するために用いられる報告である。【００１６】
本発明のシステムは、基地局に対して端末装置が行う報告の条件に関する報告条件情報を当該端末装置へ送信する当該基地局と、上記報告条件情報に基づいて、ダウンリンクのみのセルについての報告を行う上記端末装置と、を含む。上記報告は、上記ダウンリンクのみのセルについてのＭＤＴ測定の開始又は終了を決定するために用いられる報告である。【００１７】
本発明の第４の方法は、基地局において、当該基地局に対して端末装置が行う報告の条件に関する報告条件情報を当該端末装置へ送信することと、上記端末装置において、上記報告条件情報に基づいて、ダウンリンクのみのセルについての報告を行うことと、を含む。上記報告は、上記ダウンリンクのみのセルについてのＭＤＴ測定の開始又は終了を決定するために用いられる報告である。
【発明の効果】
【００１８】
本発明によれば、ダウンリンクのみのセルの最適なエリア設計のための情報をより効率的に収集することが可能になる。なお、本発明により、当該効果の代わりに、又は当該効果とともに、他の効果が奏されてもよい。
【図面の簡単な説明】
【００１９】
【図１】本発明の実施形態に係るシステムの概略的な構成の一例を示す説明図である。
【図２】第１の実施形態に係る基地局の概略的な構成の例を示すブロック図ある。
【図３】第１の実施形態に係る隣接基地局の概略的な構成の例を示すブロック図ある。
【図４】第１の実施形態に係る端末装置の概略的な構成の例を示すブロック図ある。
【図５】第１の実施形態に係るネットワークノードの概略的な構成の例を示すブロック図ある。
【図６】ＤＬのみのセルについてのＭＤＴ測定の開始／終了の第１の例を説明するための説明図である。
【図７】ＤＬのみのセルについてのＭＤＴ測定の開始／終了の第２の例を説明するための説明図である。
【図８】第１の実施形態に係る基地局及び端末装置の処理の概略的な流れの第１の例を示すシーケンス図である。
【図９】第１の実施形態に係る基地局及び端末装置の処理の概略的な流れの第２の例を示すシーケンス図である。
【図１０】第１の実施形態に係る基地局及びネットワークノードの処理の概略的な流れの一例を示すシーケンス図である。
【図１１】第２の実施形態に係る基地局の概略的な構成の例を示すブロック図ある。
【図１２】第２の実施形態に係る端末装置の概略的な構成の例を示すブロック図ある。
【図１３】第２の実施形態に係る基地局及び端末装置の処理の概略的な流れの一例を示すシーケンス図である。
【発明を実施するための形態】
【００２０】
以下、添付の図面を参照して本発明の実施形態を詳細に説明する。なお、本明細書及び図面において、同様に説明されることが可能な要素については、同一の符号を付することにより重複説明が省略され得る。
【００２１】
説明は、以下の順序で行われる。
１．関連技術
２．本発明の実施形態の概要
３．システムの構成例
４．第１の実施形態
４．１．基地局の構成例
４．２．隣接基地局の構成例
４．３．端末装置の構成例
４．４．ネットワークノードの構成例
４．５．技術的特徴
５．第２の実施形態
５．１．基地局の構成例
５．２．端末装置の構成例
５．３．技術的特徴
【００２２】
＜＜１．関連技術＞＞
本発明の実施形態に関連する技術として、キャリアアグリゲーション（Carrier  Aggregation：ＣＡ）及びＭＤＴ（Minimization  of  Drive  Tests）を説明する。
【００２３】
（１）キャリアアグリゲーション（ＣＡ）
３ＧＰＰ（Third  Generation  Partnership  Project）のＬＴＥ−Ａｄｖａｎｃｅｄでは、ｅＮＢ（evolved  Node  B）によりＥ−ＵＴＲＡＮ（Evolved  Universal  Terrestrial  Radio  Access）が構成される。また、近年、様々なセルによりＨｅｔＮｅｔ（Heterogeneous  Network）環境が形成されている。例えば、広いカバレッジを有するマクロセル（Macro  Cell）、並びに、狭いカバレッジを有するスモールセル（Small  Cell）を配置することが考えられる。当該スモールセルは、マイクロセル（Micro  cell）、ピコセル（Pico  Cell）又はフェムトセル（Femto  Cell）であってもよく、あるいは、マクロセルよりも小さい他の種類のセルであってもよい。
【００２４】
ＵＥ（User  Equipment）のユーザプレーン（User  Plane：U-Plane）のスループットの向上を目的として、複数のセルを束ねて（aggregate）使用する技術がある。当該技術は、キャリアアグリゲーション（ＣＡ）と呼ばれ、非特許文献１（3GPP  TS  36.300  V12.5.0）に開示されている。例えば、キャリアアグリゲーションは、異なる周波数と重複するカバレッジとを有する複数のセルの環境（Ｈｅｔ−Ｎｅｔ環境）において使用される。なお、上記複数のセルは、同じｅＮＢのセル（即ち、Ｉｎｔｒａ−ｅＮＢのセル）である。
【００２５】
ＣＡにおいて束ねられる複数のセルは、ユーザプレーン及び制御プレーン（Control  Plane：C-Plane）の通信に使用される１つのプライマリセル（Primary  Cell：PCell）と、ユーザプレーンの通信に使用される１つ以上のセカンダリセル（Secondary  Cell：SCell）（最大４つのセカンダリセル）とを含む。なお、束ねられるセルの数が大きいほど、スループットがより大きくなり得る。
【００２６】
近年では、ダウンリンク（downlink：ＤＬ）向けのサービスが多く、アップリンク（Uplink：ＵＬ）よりもＤＬのスループットの向上が求められている。これに関連して、非特許文献２（3GPP  TS  36.101  V12.7.0）には、Ｂａｎｄ  ２９及びＢａｎｄ  ３２がＤＬ専用帯域として定義されている。当該ＤＬ専用帯域のセルは、ＵＥが接続モード（又は接続状態）である場合に、セカンダリセルとして使用されるが、プライマリセルとして使用されない。また、上記ＤＬ専用帯域のセルは、ＵＥがアイドルモード（又はアイドル状態）である場合に行うセル選択（Cell  Selection）及びセル再選択（Cell  Reselection）の対象外である。そのため、ＵＥは、上記ＤＬ専用帯域のセルにキャンプオン（camp  on）することはできない。
【００２７】
ＣＡでは、接続モードにおけるハンドオーバ（handover：ＨＯ）の制御は、プライマリセルを切り替える制御になる。ＨＯ前のプライマリセル（即ち、古いプライマリセル）とＨＯ後のプライマリセル（即ち、新たなプライマリセル）とが同じｅＮＢのセル（即ち、Ｉｎｔｒａ−ｅＮＢのセル）であれば、セカンダリセルが継続して使用可能であり得る。一方、ＨＯ前のプライマリセル（即ち、古いプライマリセル）とＨＯ後のプライマリセル（即ち、新たなプライマリセル）とが異なるｅＮＢのセル（即ち、Ｉｎｔｅｒ−ｅＮＢのセル）であれば、セカンダリセルは継続して使用不能である。
【００２８】
（２）ＭＤＴ（Minimization  of  Drive  Tests）
３ＧＰＰのＬＴＥ−Ａｄｖａｎｃｅｄでは、ＭＤＴ機能が仕様化された。当該ＭＤＴ機能は、ＯＰＥＸ（operation  expenditure）低減を目的として、走行試験を代替する機能である。
【００２９】
ＭＤＴでは、ＵＥによる測定から得られる情報がネットワーク側で収集され、Ｃｏｖｅｒａｇｅ  ｈｏｌｅ／Ｗｅａｋ  ｃｏｖｅｒａｇｅ、Ｐｉｌｏｔ  Ｐｏｌｌｕｔｉｏｎ／Ｏｖｅｒｓｈｏｏｔ  ｃｏｖｅｒａｇｅ／Ｃｏｖｅｒａｇｅ  ｍａｐｐｉｎｇ／ＵＬ  ｃｏｖｅｒａｇｅ／Ｃｅｌｌ  ｂｏｕｎｄａｒｙ  ｍａｐｐｉｎｇ／Ｃｏｖｅｒａｇｅ  ｍａｐｐｉｎｇ  ｆｏｒ  ｐｉｃｏ  ｃｅｌｌ  ｉｎ  ＣＡ  ｓｃｅｎａｒｉｏ等に関するカバレッジ問題の検出が行われる。これは、非特許文献３（3GPP  TS  37.320  V12.2.0）に開示されている。
【００３０】
ＭＤＴに関する測定及び収集の手法として、Ｌｏｇｇｅｄ  ＭＤＴ及びＩｍｍｅｄｉａｔｅ  ＭＤＴという２つの手法がある。
【００３１】
Ｌｏｇｇｅｄ  ＭＤＴは、アイドルモードのＵＥに測定を行わせ、当該ＵＥが接続状態になった際に当該測定の結果を当該ＵＥに報告させる手法である。上記ＵＥは、“ｃａｍｐｅｄ  ｎｏｒｍａｌｌｙ”ｓｔａｔｅでのみ、周期的な測定を行う。例えば、当該測定は、ＲＳＲＰ（Reference  Signal  Received  Power）及び／又はＲＳＲＱ（Reference  Signal  Received  Quality）の測定、並びに、上記ＵＥの位置の測定を含む。例えば、当該位置の測定には、ＧＮＳＳ（Global  Navigation  Satellite  System）が利用される。
【００３２】
Ｉｍｍｅｄｉａｔｅ  ＭＤＴは、接続モードのＵＥに測定を行わせ、当該測定の結果を当該ＵＥに報告させる手法である。上記ＵＥは、周期的な測定、及び／又は、イベントトリガの測定を行う。例えば、当該測定は、ＲＳＲＰ及び／又はＲＳＲＱの測定、並びに、上記ＵＥの位置の測定を含む。例えば、当該位置の測定には、ＧＮＳＳが利用される。
【００３３】
なお、非特許文献４（3GPP  TS  36.331  V12.5.0）には、これらの測定についてのＲＲＣ（Radio  Resource  Control）手続きが開示されている。
【００３４】
＜＜２．本発明の実施形態の概要＞＞
本発明の実施形態の概要を説明する。
【００３５】
（１）技術的課題
ＤＬ専用帯域（例えば、Ｂａｎｄ  ２９、３２）のセルは、ＤＬのみのセルであり、セカンダリセルとして使用される。具体的には、例えば、ＤＬのみのセルは、プライマリセルとして使用されるセルのカバレッジエレリア内に配置され、当該プライマリセルとともにセカンダリセルとして使用される。当該プライマリセルと当該セカンダリセル（即ち、ＤＬのみのセル）とは、同じｅＮＢ（evolved  Node  B）のセルである。
【００３６】
上記セカンダリセルのカバレッジは、上記プライマリセルのカバレッジ外で且つ他のセル（他のｅＮＢのセル）のカバレッジ内のエリアまで及ぶ可能性がある。上記セカンダリセルのカバレッジのうちの当該エリアは、利用不能なカバレッジ（unavailable  coverage）であり、無駄なカバレッジである。このような利用不能なカバレッジ（又は無駄なカバレッジ）は、他のセルへの干渉の要因となり得る。最適なエリア設計のために、このような利用不能なカバレッジに関する情報が、ＭＤＴにより収集されることが望ましい。
【００３７】
しかし、ＵＥは、Ｉｍｍｅｄｉａｔｅ  ＭＤＴ測定として、上述したような利用不能なカバレッジに関する情報の収集には不要な測定も行い得る。例えば、ＵＥは、周期的な測定、及び／又は、イベントトリガの測定を行い、その結果、上述したような利用不能なカバレッジから離れたエリアの測定も行い得る。このように、情報の収集が非効率的になり得る。
【００３８】
（２）技術的特徴
本発明の実施形態では、上記技術的課題を解決するために、例えば、ｅＮＢは、当該ｅＮＢのセルのカバレッジ内に位置するＵＥに、ＤＬのみのセル（他のｅＮＢのセル）についてのＭＤＴ測定の開始／終了を決定するための報告（例えば、測定報告）を行わせる。具体的には、上記ｅＮＢは、当該報告の条件に関する情報（例えば、当該ＤＬのみのセルの測定値と比較される閾値）を、上記ＵＥへ送信する。そして、上記ＵＥは、当該情報（例えば、上記閾値）に基づいて、上記ＤＬのみのセルについての報告（例えば、測定報告）を行う。
【００３９】
これにより、例えば、上記ＵＥは、上記ＤＬのみのセルのカバレッジ（即ち、利用不能なカバレッジ）に入るタイミングで、上記ＭＤＴ測定を開始し、及び／又は、上記ＤＬのみのセルのカバレッジ（即ち、利用不能なカバレッジ）から出るタイミングで、上記ＭＤＴ測定を終了する。そのため、当該利用不能なカバレッジに関する情報が効率的に収集され得る。
【００４０】
＜＜３．システムの構成例＞＞
図１を参照して、本発明の実施形態に係るシステム１の構成の例を説明する。図１は、本発明の実施形態に係るシステム１の概略的な構成の一例を示す説明図である。図１を参照すると、システム１は、基地局１００、隣接基地局２００、端末装置３００及びネットワークノード４００を含む。基地局１００、隣接基地局２００及びネットワークノード４００は、ネットワーク６０を介して互いに通信する。例えば、ネットワーク６０は、バックホール及びコアネットワークを含む。
【００４１】
システム１は、３ＧＰＰ（Third  Generation  Partnership  Project）の規格に準拠したシステムであってもよい。より具体的には、システム１は、ＬＴＥ（Long  Term  Evolution）／ＬＴＥ−Ａｄｖａｎｃｅｄ及び／又はＳＡＥ（System  Architecture  Evolution）に準拠したシステムであってもよい。当然ながら、システム１は、これらの例に限定されない。
【００４２】
（１）基地局１００
基地局１００は、無線アクセスネットワーク（Radio  Access  Network：ＲＡＮ）のノードであり、カバレッジ１１内に位置する端末装置（例えば、端末装置３００）との無線通信を行う。例えば、基地局１００は、ｅＮＢである。
【００４３】
（２）隣接基地局２００
隣接基地局２００は、無線アクセスネットワーク（ＲＡＮ）のノードであり、カバレッジ２１内に位置する端末装置（例えば、端末装置３００）との無線通信を行う。隣接基地局２００は、基地局１００にとってのネイバ（neighbor）である。例えば、隣接基地局２００も、ｅＮＢである。
【００４４】
さらに、隣接基地局２００は、カバレッジ２１を有するセル（例えば、マクロセル）に加えて、カバレッジ５１を有するスモールセルを使用する。即ち、カバレッジ２１と重なるカバレッジ５１を有する（隣接基地局２００の）スモールセルが配置される。当該スモールセルは、マイクロセル（Micro  cell）、ピコセル（Pico  Cell）又はフェムトセル（Femto  Cell）であってもよく、あるいは、マクロセルよりも小さい他の種類のセルであってもよい。例えば、隣接基地局２００はリモートユニット５０を有し、リモートユニット５０により上記スモールセルが配置される。リモートユニット５０は、ＲＲＨ（Remote  Radio  Head）若しくはＲＲＵ（Remote  Radio  Unit）であってもよく、又は、物理層（Physical  Layer）の処理も行うユニットであってもよい。
【００４５】
とりわけ、カバレッジ５１を有する上記スモールセルは、ダウンリンクのみのセルであり、プライマリセルとしては使用されず、セカンダリセルとして使用される。例えば、隣接基地局２００は、カバレッジ２１を有する上記セル（例えば、マクロセル）をプライマリセルとして使用し、カバレッジ５１を有する上記スモールセルをセカンダリセルとして使用して、これらのセルの両方のカバレッジ内に位置する端末装置との無線通信を行うことができる。
【００４６】
さらに、とりわけ、上記スモールセルのカバレッジ５１は、基地局１００のセル（例えば、マクロセル）のカバレッジ１１と重なる。カバレッジ５１を有する上記スモールセルと、カバレッジ１１を有する上記セルとは、異なる基地局のセルであり、キャリアアグリゲーションで使用不能であるので、エリア５３は、上記スモールセルについての利用不能なカバレッジ（又は無駄なカバレッジ）である。
【００４７】
なお、隣接基地局２００は、１つのスモールセルのみではなく、複数のスモールセルを使用してもよい。即ち、隣接基地局２００の複数のスモールセルが配置されてもよい。この場合に、当該複数のスモールセルの各々について、利用不能なカバレッジが存在する可能性がある。
【００４８】
（３）端末装置３００
端末装置３００は、基地局との無線通信を行う。例えば、端末装置３００は、基地局１００のカバレッジ１１内に位置する場合に、基地局１００との無線通信を行う。例えば、端末装置３００は、隣接基地局２００のカバレッジ２１内に位置する場合に、隣接基地局２００との無線通信を行う。例えば、端末装置３００は、ＵＥである。
【００４９】
（４）ネットワークノード４００
ネットワークノード４００は、コアネットワークノードであり、ＭＤＴに関連する制御を行う。例えば、ネットワークノード４００は、ＭＭＥ（Mobility  Management  Entity）、ＴＣＥ（Trace  Collection  Entity）、及び／又はＥＭである。あるいは、ネットワークノード４００は、他のコアネットワークノードであってもよい。
【００５０】
（５）ＭＤＴ
とりわけ本発明の実施形態では、基地局１００及び端末装置３００は、ＭＤＴをサポートする。例えば、基地局１００は、ＭＤＴ測定（measurements）のコンフィギュレーションを行い、端末装置３００は、当該コンフィギュレーションに基づいて、ＭＤＴ測定を行う。上記ＭＤＴ測定は、アイドルモードでのＭＤＴ測定及び／又は接続モードでのＭＤＴ測定を含む。例えば、アイドルモードでのＭＤＴ測定は、Ｌｏｇｇｅｄ  ＭＤＴ測定であり、接続モードでのＭＤＴ測定は、Ｉｍｍｅｄｉａｔｅ  ＭＤＴ測定である。
【００５１】
＜＜４．第１の実施形態＞＞
続いて、図２〜図１０を参照して、本発明の第１の実施形態を説明する。
【００５２】
＜４．１．基地局の構成例＞
まず、図２を参照して、第１の実施形態に係る基地局１００の構成の例を説明する。図２は、第１の実施形態に係る基地局１００の概略的な構成の例を示すブロック図ある。図２を参照すると、基地局１００は、無線通信部１１０、ネットワーク通信部１２０、記憶部１３０及び処理部１４０を備える。
【００５３】
無線通信部１１０は、信号を無線で送受信する。例えば、無線通信部１１０は、端末装置からの信号を受信し、端末装置への信号を送信する。
【００５４】
ネットワーク通信部１２０は、ネットワーク６０（例えば、バックホール）から信号を受信し、ネットワーク６０（例えば、バックホール）へ信号を送信する。
【００５５】
記憶部１３０は、基地局１００の動作のためのプログラム及びパラメータ、並びに様々なデータを、一時的に又は恒久的に記憶する。
【００５６】
処理部１４０は、基地局１００の様々な機能を提供する。処理部１４０は、情報取得部１４１、通信処理部１４３及び制御部１４５を含む。なお、処理部１４０は、これらの構成要素以外の他の構成要素をさらに含み得る。即ち、処理部１４０は、これらの構成要素の動作以外の動作も行い得る。
【００５７】
情報取得部１４１、通信処理部１４３及び制御部１４５の具体的な動作は、後に詳細に説明する。
【００５８】
無線通信部１１０は、アンテナ及び高周波（Radio  Frequency：ＲＦ）回路などを含んでもよい。ネットワーク通信部１２０は、ネットワークアダプタ又はネットワークインタフェースカードなどを含んでもよい。記憶部１３０は、メモリ（例えば、不揮発性メモリ及び／若しくは揮発性メモリ）並びに／又はハードディスクなどを含んでもよい。処理部１４０は、ベースバンド（Baseband：ＢＢ）プロセッサ及び／又は他のプロセッサなどを含んでもよい。
【００５９】
＜４．２．隣接基地局の構成例＞
まず、図３を参照して、第１の実施形態に係る隣接基地局２００の構成の例を説明する。図３は、第１の実施形態に係る隣接基地局２００の概略的な構成の例を示すブロック図ある。図３を参照すると、隣接基地局２００は、無線通信部２１０、ネットワーク通信部２２０、記憶部２３０及び処理部２４０を備える。
【００６０】
無線通信部２１０は、信号を無線で送受信する。例えば、無線通信部２１０は、端末装置からの信号を受信し、端末装置への信号を送信する。
【００６１】
ネットワーク通信部２２０は、ネットワーク６０（例えば、バックホール）から信号を受信し、ネットワーク６０（例えば、バックホール）へ信号を送信する。
【００６２】
記憶部２３０は、隣接基地局２００の動作のためのプログラム及びパラメータ、並びに様々なデータを、一時的に又は恒久的に記憶する。
【００６３】
処理部２４０は、隣接基地局２００の様々な機能を提供する。処理部２４０は、情報取得部２４１及び通信処理部２４３を含む。なお、処理部２４０は、これらの構成要素以外の他の構成要素をさらに含み得る。即ち、処理部２４０は、これらの構成要素の動作以外の動作も行い得る。
【００６４】
情報取得部２４１及び通信処理部２４３の具体的な動作は、後に詳細に説明する。
【００６５】
無線通信部２１０は、アンテナ及び高周波（ＲＦ）回路などを含んでもよい。ネットワーク通信部２２０は、ネットワークアダプタ又はネットワークインタフェースカードなどを含んでもよい。記憶部２３０は、メモリ（例えば、不揮発性メモリ及び／若しくは揮発性メモリ）並びに／又はハードディスクなどを含んでもよい。処理部２４０は、ベースバンド（ＢＢ）プロセッサ及び／又は他のプロセッサなどを含んでもよい。
【００６６】
＜４．３．端末装置の構成例＞
次に、図４を参照して、第１の実施形態に係る端末装置３００の構成の例を説明する。図４は、第１の実施形態に係る端末装置３００の概略的な構成の例を示すブロック図ある。図４を参照すると、端末装置３００は、無線通信部３１０、記憶部３２０及び処理部３３０を備える。
【００６７】
無線通信部３１０は、信号を無線で送受信する。例えば、無線通信部３１０は、基地局からの信号を受信し、基地局への信号を送信する。
【００６８】
記憶部３２０は、端末装置３００の動作のためのプログラム及びパラメータ、並びに様々なデータを、一時的に又は恒久的に記憶する。
【００６９】
処理部３３０は、端末装置３００の様々な機能を提供する。処理部３３０は、情報取得部３３１、測定部３３３及び報告部３３５を含む。なお、処理部３３０は、これらの構成要素以外の他の構成要素をさらに含み得る。即ち、処理部３３０は、これらの構成要素の動作以外の動作も行い得る。
【００７０】
情報取得部３３１、測定部３３３及び報告部３３５の具体的な動作は、後に詳細に説明する。
【００７１】
無線通信部３１０は、アンテナ及び高周波（ＲＦ）回路などを含んでもよい。記憶部３２０は、メモリ（例えば、不揮発性メモリ及び／若しくは揮発性メモリ）並びに／又はハードディスクなどを含んでもよい。処理部３３０は、ベースバンド（ＢＢ）プロセッサ及び／又は他のプロセッサなどを含んでもよい。
【００７２】
＜４．４．ネットワークノードの構成例＞
次に、図５を参照して、第１の実施形態に係るネットワークノード４００の構成の例を説明する。図５は、第１の実施形態に係るネットワークノード４００の概略的な構成の例を示すブロック図ある。図５を参照すると、ネットワークノード４００は、ネットワーク通信部４１０、記憶部４２０及び処理部４３０を備える。
【００７３】
ネットワーク通信部４１０は、ネットワーク６０から信号を受信し、ネットワーク６０へ信号を送信する。
【００７４】
記憶部４２０は、ネットワークノード４００の動作のためのプログラム及びパラメータ、並びに様々なデータを、一時的に又は恒久的に記憶する。
【００７５】
処理部４３０は、ネットワークノード４００の様々な機能を提供する。処理部４３０は、情報取得部４３１及び通信処理部４３３を含む。なお、処理部４３０は、これらの構成要素以外の他の構成要素をさらに含み得る。即ち、処理部４３０は、これらの構成要素の動作以外の動作も行い得る。
【００７６】
情報取得部４３１及び通信処理部４３３の具体的な動作は、後に詳細に説明する。
【００７７】
なお、ネットワーク通信部４１０は、ネットワークアダプタ又はネットワークインタフェースカードなどを含んでもよい。記憶部４２０は、メモリ（例えば、不揮発性メモリ及び／若しくは揮発性メモリ）並びに／又はハードディスクなどを含んでもよい。処理部４３０は、プロセッサなどを含んでもよい。
【００７８】
＜４．５．技術的特徴＞
次に、図６〜図１０を参照して、第１の実施形態の技術的特徴を説明する。
【００７９】
（１）ＭＤＴ測定の開始／終了の決定
（１―１）報告に応じた決定
基地局１００（情報取得部１４１）は、基地局１００に対して端末装置３００が行う報告（reporting）の条件に関する報告条件情報を取得する。そして、基地局１００（通信処理部１４３）は、上記報告条件情報を端末装置３００へ送信する。とりわけ、上記報告は、ダウンリンク（ＤＬ）のみのセルについてのＭＤＴ測定の開始又は終了を決定するために用いられる報告である。
【００８０】
端末装置３００（情報取得部３３１）は、上記報告条件情報を取得する。そして、端末装置３００（報告部３３５）は、上記報告条件情報に基づいて、上記ＤＬのみのセルについての報告を行う。
【００８１】
さらに、例えば、基地局１００（制御部１４５）は、上記報告に応じて、上記ＭＤＴ測定の開始又は終了を決定する。
【００８２】
（ａ）ＭＤＴ測定
例えば、上記ＭＤＴ測定は、接続モードでのＭＤＴ測定（即ち、接続モードの端末装置により行われるＭＤＴ測定）である。より具体的には、例えば、上記ＭＤＴ測定は、Ｉｍｍｅｄｉａｔｅ  ＭＤＴ測定である。
【００８３】
（ｂ）ＤＬのみのセル
−帯域
例えば、上記ＤＬのみのセルは、ＤＬ専用帯域のセルである。例えば、当該ＤＬ専用帯域は、Ｂａｎｄ  ２９又はＢａｎｄ３２である。上記ＤＬ専用帯域、又は上記ＤＬ専用帯域に含まれるコンポーネントキャリア（ＣＣ）は、サプリメンタルダウンリンク（supplemental  downlink）、サプリメンタルダウンリンクスペクトラム（supplemental  downlink  spectrum）、又はサプリメンタルダウンリンクチャネル（supplemental  downlink  channel）とも呼ばれ得る。
【００８４】
あるいは、上記ＤＬのみのセルは、ＤＬ専用帯域以外の帯域のセルであってもよく、オペレータによりＵＬに使用されずＤＬのみに使用されるセルであってもよい。
【００８５】
−基地局
例えば、上記ＤＬのみのセルは、基地局１００とは異なる他の基地局のセルである。また、例えば、上記ＤＬのみのセルは、基地局１００のセルのカバレッジ１１と重なるカバレッジを有する。具体的には、例えば、上記ＤＬのみのセルは、カバレッジ５１を有する隣接基地局２００のスモールセルである。
【００８６】
これにより、例えば、基地局１００は、カバレッジ１１と重なるカバレッジを有する他の基地局のセルについてのＭＤＴ測定の開始又は終了を決定することが可能になる。
【００８７】
（ｃ）報告
例えば、上記報告は、測定報告（measurement  reporting）である。即ち、上記報告は、基地局１００に対して端末装置３００が行う測定報告であり、上記ＭＤＴ測定の開始又は終了を決定するために用いられる測定報告である。また、端末装置３００（報告部３３５）は、上記報告条件情報に基づいて、上記ＤＬのみのセルについての測定報告を行う。
【００８８】
例えば、上記報告（即ち、ＭＤＴ測定の開始又は終了を決定するために用いられる報告、又は、ＤＬのみのセルについての報告）をトリガするイベントが定義される。当該イベントの具体的な例は、後に説明する。
【００８９】
なお、第１の実施形態はこの例に限定されない。即ち、上記報告は、測定報告ではなく、他の種類の報告であってもよい。
【００９０】
（ｄ）報告条件情報の内容
−閾値
例えば、上記報告条件情報は、上記ＤＬのみのセルの測定値（即ち、測定結果）と比較される閾値を示す。換言すると、上記報告条件情報は、当該閾値を示す閾値情報であり、又は、当該閾値情報を含む。例えば、上記測定値は、上記ＤＬのみのセルについての受信電力又は受信品質（例えば、ＲＳＲＰ又はＲＳＲＱ）である。例えば、上記閾値は、通常の測定報告のための閾値（例えば、測定報告のイベントＡ１、Ａ２及びＡ４の閾値）とは異なるもの（即ち、ＭＤＴ用の閾値）である。上述したように、例えば、上記報告は測定報告であり、上記報告をトリガするイベントが定義され、上記閾値は、当該イベントのための閾値である。当該イベントの具体的な例は、後に説明する。
【００９１】
これにより、例えば、端末装置３００は、上記ＤＬのみのセルに入るタイミングで、又は、端末装置３００が上記ＤＬのみのセルから出るタイミングで、報告（例えば、測定報告）を行うことが可能になる。
【００９２】
なお、上記報告条件情報は、上記ＭＤＴ測定の開始の決定と、上記ＭＤＴ測定の終了の決定との両方のための共通の閾値を示してもよい。あるいは、上記報告条件情報は、上記ＭＤＴ測定の開始の決定のための閾値、及び／又は、上記ＭＤＴ測定の終了の決定のための閾値を示してもよい。
【００９３】
−ＤＬのみのセル
上記報告条件情報は、上記ＤＬのみのセルを示してもよい。即ち、上記報告条件情報は、上記閾値情報に加えて、上記ＤＬのみのセルを示すセル情報をさらに含んでもよい。具体的には、上記報告条件情報（当該セル情報）は、上記ＤＬのみのセルのセルＩＤ、上記ＤＬのみのセルの周波数バンドを示すバンド情報、及び／又は、上記ＤＬのみのセルの周波数を示す周波数情報を含んでもよい。これにより、例えば、端末装置３００は、測定すべきセルを容易に知ること／見つけることが可能になる。
【００９４】
（ｅ）報告条件情報の取得
−第１の例
第１の例として、ネットワークノード４００（情報取得部４３１）は、上記報告条件情報を取得する。そして、ネットワークノード４００（通信処理部４３３）は、上記報告条件情報を基地局１００へ送信する。この場合に、基地局１００（情報取得部１４１）は、ネットワークノード４００により送信される上記報告条件情報を取得する。ネットワークノード４００は、上記報告条件情報を予め記憶していてもよく、又は、上記報告条件情報を自ら生成してもよい。
【００９５】
具体的には、例えば、ネットワークノード４００は、上記報告条件情報を含むＭＤＴコンフィギュレーションを基地局１００へ送信する。そして、基地局１００（情報取得部１４１）は、上記報告条件情報を含む当該ＭＤＴコンフィギュレーションを取得する。
【００９６】
これにより、例えば、コアネットワーク側でのＭＤＴ測定の制御が可能になる。
【００９７】
なお、上記ＭＤＴコンフィギュレーションは、ＤＬのみのセルと、プライマリセルとして使用され得る他のセル（とりわけ、当該ＤＬのみのセルを使用する基地局とは異なる他の基地局のセル）との組合せを示す情報を含んでもよい。例えば、この情報は、カバレッジ５１を有するＤＬのみのセル（隣接基地局２０のセル）と、カバレッジ１１を有するセル（基地局１００のセル）との組合せを示してもよく、他の組合せをさらに示してもよい。
【００９８】
−第２の例
第２の例として、上記報告条件情報は、上記他の基地局（例えば、隣接基地局２００）により基地局１００へ送信される情報であってもよい。
【００９９】
具体的には、ネットワークノード４００が、上記報告条件情報を含むＭＤＴコンフィギュレーションを隣接基地局２００へ送信し、隣接基地局２００（情報取得部２４１）が、当該ＭＤＴコンフィギュレーションを取得してもよい。その後、隣接基地局２００（通信処理部２４３）は、（例えば隣接基地局２００から基地局１００への端末装置３００のハンドオーバの際に）上記ＭＤＴコンフィギュレーションを基地局１００へ送信してもよい。そして、基地局１００（情報取得部１４１）は、上記報告条件情報を含む上記ＭＤＴコンフィギュレーションを取得してもよい。
【０１００】
これにより、例えば、基地局１００は、上記報告条件情報がネットワークノード４００により基地局１００へ送信されていなくても、上記報告条件情報を取得することが可能になる。
【０１０１】
なお、上記ＭＤＴコンフィギュレーションは、ＤＬのみのセルと、プライマリセルとして使用され得る他のセル（とりわけ、当該ＤＬのみのセルを使用する基地局とは異なる他の基地局のセル）との組合せを示す情報を含んでもよい。例えば、この情報は、カバレッジ５１を有するＤＬのみのセル（隣接基地局２０のセル）と、カバレッジ１１を有するセル（基地局１００のセル）との組合せを示してもよく、他の組合せをさらに示してもよい。
【０１０２】
−第３の例
第３の例として、基地局１００が、上記報告条件情報を予め記憶していてもよく、又は、上記報告条件情報を自ら生成してもよい。そして、基地局１００（情報取得部１４１）は、当該報告条件情報を取得してもよい。
【０１０３】
（ｆ）報告条件情報の送信
例えば、基地局１００（通信処理部１４３）は、上記報告条件情報を含むメッセージを端末装置３００へ送信する。当該メッセージは、例えば、ＲＲＣ  Ｃｏｎｎｅｃｔｉｏｎ  Ｒｅｃｏｎｆｉｇｕｒａｔｉｏｎメッセージ、又はＨａｎｄｏｖｅｒ  Ｃｏｍｍａｎｄメッセージである。あるいは、上記メッセージは、他の種類のメッセージであってもよい。
【０１０４】
なお、基地局１００（通信処理部１４３）は、端末装置３００への個別のメッセージではなく、システム情報（例えば、ＳＩＢ（System  Information  Block））の中で上記報告条件情報を送信してもよい。
【０１０５】
（ｇ）報告、及び、ＭＤＴ測定の開始／終了の決定
上述したように、端末装置３００（報告部３３５）は、上記報告条件情報に基づいて、上記ＤＬのみのセルについての報告（例えば、測定報告）を行い、基地局１００（制御部１４５）は、当該報告に応じて、上記ＭＤＴ測定の開始又は終了を決定する。なお、当然ながら、端末装置３００（測定部３３３）は、上記報告を行う前に、上記ＤＬのみのセルについての測定を行う。
【０１０６】
また、上述したように、例えば、上記報告条件情報は、上記ＤＬのみのセルの測定値（即ち、測定結果）と比較される閾値を示す。例えば、上記測定値は、上記ＤＬのみのセルについての受信電力又は受信品質（例えば、ＲＳＲＰ又はＲＳＲＱ）である。
【０１０７】
−第１の例（ＭＤＴ測定の開始の決定）
第１の例として、上記報告の上記条件は、上記測定値が上記閾値よりも良くなることを含む。この場合に、例えば、端末装置３００（報告部３３５）は、上記測定値が上記閾値よりも良くなる場合に、上記ＤＬのみのセルについての報告（例えば、測定報告）を行う。そして、基地局１００（制御部１４５）は、当該報告に応じて、上記ＭＤＴ測定の開始を決定する。
【０１０８】
上述したように、例えば、上記報告は測定報告であり、上記ＤＬのみのセルの測定値（即ち、測定結果）が上記閾値よりも良くなるということが、上記報告をトリガするイベントとして定義される。より具体的には、例えば、以下のようなイベント（測定報告のイベントＡ１〜Ａ６及びＢ１〜Ｂ２とは異なるイベント）が定義され得る。
【０１０９】
Ｍｎ−Ｈｙｓ＞Ｔｈｒｅｓｈ
Ｍｎは、ネイバセル（neighboring  cell）（即ち、上記ＤＬのみのセル）の測定結果（measurement  result）であり、いずれのオフセットも考慮しない。
Ｈｙｓは、このイベントのためのヒステリシス（hysteresis）パラメータである。
Ｔｈｒｅｓｈは、このイベントのための閾値パラメータ（即ち、上記閾値）である。
Ｍｎは、ＲＳＲＰのケースではｄＢｍで表され、ＲＳＲＱのケースではｄＢで表される。
Ｈｙｓは、ｄＢで表される。
Ｔｈｒｅｓｈは、Ｍｎと同じ単位で表される。
【０１１０】
図１を再び参照すると、例えば、端末装置３００は、カバレッジ１１内を移動し、ＤＬのみのセルのカバレッジ５１外からカバレッジ５１に入る（即ち、利用不能なカバレッジであるエリア５３に入る）。すると、端末装置３００における上記ＤＬのみのセルの測定値が閾値よりも良くなり（即ち、イベントが発生し）、端末装置３００は、上記ＤＬのみのセルについての測定報告を行う。そして、基地局１００は、当該測定報告に応じて、上記ＭＤＴ測定の開始を決定する。
【０１１１】
これにより、例えば、端末装置３００は、カバレッジ１１内で、上記ＤＬのみのセルのカバレッジ（即ち、利用不能なカバレッジ）に入るタイミングで、上記ＭＤＴ測定を開始する。そのため、当該利用不能なカバレッジに関する情報が効率的に収集され得る。
【０１１２】
−第２の例（ＭＤＴ測定の終了の決定）
第２の例として、上記報告の上記条件は、上記測定値が上記閾値よりも悪くなることを含む。この場合に、例えば、端末装置３００（報告部３３５）は、上記測定値が上記閾値よりも悪くなる場合に、上記ＤＬのみのセルについての報告（例えば、測定報告）を行う。そして、基地局１００（制御部１４５）は、当該報告に応じて、上記ＭＤＴ測定の終了を決定する。
【０１１３】
上述したように、例えば、上記報告は測定報告であり、上記ＤＬのみのセルの測定値（即ち、測定結果）が上記閾値よりも悪くなるということが、上記報告をトリガするイベントとして定義される。より具体的には、例えば、以下のようなイベント（測定報告のイベントＡ１〜Ａ６及びＢ１〜Ｂ２とは異なるイベント）が定義され得る。
【０１１４】
Ｍｎ−Ｈｙｓ＜Ｔｈｒｅｓｈ
Ｍｎは、ネイバセル（即ち、上記ＤＬのみのセル）の測定結果であり、いずれのオフセットも考慮しない。
Ｈｙｓは、このイベントのためのヒステリシスパラメータである。
Ｔｈｒｅｓｈは、このイベントのための閾値パラメータ（即ち、上記閾値）である。
Ｍｎは、ＲＳＲＰのケースではｄＢｍで表され、ＲＳＲＱのケースではｄＢで表される。
Ｈｙｓは、ｄＢで表される。
Ｔｈｒｅｓｈは、Ｍｎと同じ単位で表される。
【０１１５】
図１を再び参照すると、例えば、端末装置３００は、カバレッジ１１内を移動し、ＤＬのみのセルのカバレッジ５１からカバレッジ５１外に出る（即ち、利用不能なカバレッジであるエリア５３から出る）。すると、端末装置３００における上記ＤＬのみのセルの測定値が閾値よりも悪くなり（即ち、イベントが発生し）、端末装置３００は、上記ＤＬのみのセルについての測定報告を行う。そして、基地局１００は、当該測定報告に応じて、上記ＭＤＴ測定の終了を決定する。
【０１１６】
これにより、例えば、端末装置３００は、カバレッジ１１内で、上記ＤＬのみのセルのカバレッジ（即ち、利用不能なカバレッジ）から出るタイミングで、上記ＭＤＴ測定を終了する。そのため、当該利用不能なカバレッジに関する情報が効率的に収集され得る。
【０１１７】
例えば以上のように、基地局１００は、上記報告条件情報を端末装置３００へ送信し、端末装置３００は、上記報告条件情報に基づいて、上記ＤＬのみのセルについての報告（例えば、測定報告）を行う。さらに、例えば、基地局１００は、当該報告に応じて、上記ＭＤＴ測定の開始又は終了を決定する。これにより、例えば、端末装置３００は、カバレッジ１１内で、上記ＤＬのみのセルのカバレッジ（即ち、利用不能なカバレッジ）に入るタイミングで、上記ＭＤＴ測定を開始し、及び／又は、上記ＤＬのみのセルのカバレッジ（即ち、利用不能なカバレッジ）から出るタイミングで、上記ＭＤＴ測定を終了する。そのため、当該利用不能なカバレッジに関する情報が効率的に収集され得る。
【０１１８】
（１−２）ハンドオーバに応じた決定
例えば、基地局１００（制御部１４５）は、端末装置３００のハンドオーバに応じて、上記ＤＬセルについての上記ＭＤＴ測定の開始又は終了を決定する。
【０１１９】
（ａ）第１の例（ＭＤＴ測定の開始の決定）
第１の例として、基地局１００（制御部１４５）は、上記ＤＬのみのセルを使用する上記他の基地局（例えば、隣接基地局２００）から基地局１００への端末装置３００のハンドオーバに応じて、上記ＭＤＴ測定の開始を決定する。例えば、基地局１００（制御部１４５）は、端末装置３００における上記ＤＬのみのセルの測定値が閾値よりも良ければ、上記ハンドオーバに応じて上記ＭＤＴ測定の開始を決定する。当該閾値は、例えば、ネットワークノード４００により送信されるＭＤＴコンフィギュレーションに含まれてもよく、上記報告条件情報により示される閾値と同じものであってもよく、又は異なるものであってもよい。
【０１２０】
図１を再び参照すると、例えば、端末装置３００は、カバレッジ２１及びカバレッジ５１が重なるエリアから、カバレッジ１１及びカバレッジ５１が重なるエリア（即ち、エリア５３）へ移動する。その結果、隣接基地局２００から基地局１００への端末装置３００のハンドオーバが行われる。また、端末装置３００は、カバレッジ５１を有するＤＬのみのセル内にいるので、端末装置３００における当該ＤＬのみのセルの測定値は、閾値よりも良い。そのため、基地局１００は、上記ハンドオーバに応じて、上記ＤＬのみのセルについてのＭＤＴ測定の開始を決定する。
【０１２１】
これにより、例えば、端末装置３００は、上記ＤＬのみのセルのカバレッジ内で、カバレッジ１１（即ち、利用不能なカバレッジ）に入るタイミングで、上記ＭＤＴ測定を開始する。そのため、当該利用不能なカバレッジに関する情報が効率的に収集され得る。
【０１２２】
なお、基地局１００（制御部１４５）が、上記測定値（即ち、端末装置３００における上記ＤＬのみのセルの測定値）が上記閾値よりも良いかを判定してもよい。この場合に、隣接基地局２００（通信処理部２４３）は、（例えば隣接基地局２００から基地局１００への端末装置３００のハンドオーバの際に）上記測定値を基地局１００へ送信してもよい。あるいは、隣接基地局２００（通信処理部２４３）が、上記測定値が上記閾値よりも良いかを判定してもよく、（例えば隣接基地局２００から基地局１００への端末装置３００のハンドオーバの際に）この判定の結果を基地局１００へ送信してもよい。
【０１２３】
（ｂ）第２の例（ＭＤＴ測定の終了の決定）
第２の例として、基地局１００（制御部１４５）は、基地局１００から上記他の基地局（例えば、隣接基地局２００）への端末装置３００のハンドオーバの決定に応じて、上記ＤＬのみのセルについての上記ＭＤＴ測定の終了を決定する。
【０１２４】
図１を再び参照すると、例えば、端末装置３００は、カバレッジ１１（より具体的には、カバレッジ１１及びカバレッジ５１が重なるエリア５３）からカバレッジ２１へ移動する。その結果、基地局１００（制御部１４５）は、基地局１００から隣接基地局２００への端末装置３００のハンドオーバを決定する。そのため、基地局１００は、当該ハンドオーバの決定に応じて、上記ＤＬのみのセルについてのＭＤＴ測定の終了を決定する。
【０１２５】
これにより、例えば、端末装置３００は、上記ＤＬのみのセルのカバレッジ内で、カバレッジ１１（即ち、利用不能なカバレッジ）から出るタイミングで、上記ＭＤＴ測定を終了する。そのため、当該利用不能なカバレッジに関する情報が効率的に収集され得る。
【０１２６】
（１―３）測定期間の満了に応じた決定
第３の例として、基地局１００（制御部１４５）は、測定期間（measurement  time  period）の満了（expiration）に応じて、上記ＤＬのみのセルについての上記ＭＤＴ測定の終了を決定する。
【０１２７】
例えば、ネットワークノード４００により送信されるＭＤＴコンフィギュレーションは、上記測定期間を示す期間情報を含む。当該期間情報は、上記測定期間を直接的に示す情報（例えば、上記測定期間に対応するインデックス又はタイマ値など）であってもよく、上記測定期間を間接的に示す情報（例えば、上記測定期間の終了時間／終了時刻）であってもよい。
【０１２８】
例えば、基地局１００（制御部１４５）は、上記ＭＤＴ測定の開始の決定又は指示の後に、上記測定期間の満了を監視（observe）する。一例として、基地局１００（制御部１４５）は、タイマを設定し、タイマの満了を監視する。そして、上記測定期間が完了すると（上記タイマが満了すると）、基地局１００（制御部１４５）は、上記ＭＤＴ測定の終了を決定する。
【０１２９】
これにより、例えば、利用不能なカバレッジに端末装置３００がとどまる場合に、端末装置３００が上記ＭＤＴ測定を行い続けることが回避され得る。
【０１３０】
（２）ＭＤＴの測定の開始／終了の指示
例えば、基地局１００（通信処理部１４３）は、上記ＭＤＴ測定の開始又は終了を指示するメッセージを端末装置３００へ送信する。これにより、基地局１００は、上記ＭＤＴ測定の開始又は終了を端末装置３００に指示する。
【０１３１】
例えば、上記メッセージは、上記ＤＬのみのセルを示すセル情報を含む。例えば、当該セル情報は、上記ＤＬのみのセルのセルＩＤ、上記ＤＬのみのセルの周波数バンドを示すバンド情報、及び／又は、上記ＤＬのみのセルの周波数を示す周波数情報を含む。
【０１３２】
第１の例として上述したように、例えば、基地局１００（制御部１４５）は、上記報告条件情報に基づいて端末装置３００により行われる報告（例えば、測定報告）に応じて、上記ＤＬのみのセルについての上記ＭＤＴ測定の開始又は終了を決定する。あるいは、第３の例として上述したように、例えば、基地局１００（制御部１４５）は、上記測定期間の満了に応じて、上記ＤＬのみのセルについての上記ＭＤＴ測定の終了を決定する。これらの場合には、基地局１００（通信処理部１４３）は、上記ＭＤＴ測定の開始又は終了を指示するＲＲＣ  Ｃｏｎｎｅｃｔｉｏｎ  Ｒｅｃｏｎｆｉｇｕｒａｔｉｏｎメッセージを端末装置３００へ送信する。
【０１３３】
第２の例として上述したように、例えば、基地局１００（制御部１４５）は、端末装置３００のハンドオーバの決定に応じて、上記ＤＬのみのセルについての上記ＭＤＴ測定の開始又は終了を決定する。これらの場合には、基地局１００（通信処理部１４３）は、上記ＭＤＴ測定の開始又は終了を指示するＨａｎｄｏｖｅｒ  Ｃｏｍｍａｎｄメッセージを端末装置３００へ送信する。例えば、上記ハンドオーバが、隣接基地局２００から基地局１００へのハンドオーバであれば、基地局１００（通信処理部１４３）は、上記ＭＤＴ測定の開始を指示するＨａｎｄｏｖｅｒ  Ｃｏｍｍａｎｄメッセージを、隣接基地局２００を介して端末装置３００へ送信する。例えば、上記ハンドオーバが、基地局１００から隣接基地局２００へのハンドオーバであれば、基地局１００（通信処理部１４３）は、上記ＭＤＴ測定の終了を指示するＨａｎｄｏｖｅｒ  Ｃｏｍｍａｎｄメッセージを端末装置３００へ直接送信する。
【０１３４】
これにより、例えば、上記ＤＬのみのセルについてのＭＤＴ測定を端末装置３００が実際に開始し又は終了することが可能になる。
【０１３５】
（３）ＭＤＴの測定の開始／終了
例えば、端末装置３００（測定部３３３）は、上記ＭＤＴ測定の開始又は終了を指示するメッセージであって、基地局１００により送信される当該メッセージの受信に応じて、上記ＤＬのみのセルについての上記ＭＤＴ測定を開始し又は終了する。
【０１３６】
上述したように、例えば、上記メッセージは、上記ＤＬのみのセルを示す情報（例えば、上記ＤＬのみのセルのセルＩＤ）を含む。上述したように、例えば、上記メッセージは、ＲＲＣ  Ｃｏｎｎｅｃｔｉｏｎ  Ｒｅｃｏｎｆｉｇｕｒａｔｉｏｎメッセージ、又はＨａｎｄｏｖｅｒ  Ｃｏｍｍａｎｄメッセージである。
【０１３７】
（４）ＭＤＴの測定の開始／終了の例
図６及び図７を参照して、ＤＬのみのセルについてのＭＤＴ測定の開始／終了の具体例を説明する。
【０１３８】
（ａ）第１の例
図６は、ＤＬのみのセルについてのＭＤＴ測定の開始／終了の第１の例を説明するための説明図である。図６を参照すると、図１と同様に、基地局１００、隣接基地局２００、隣接基地局２００のリモートユニット５０、及び端末装置３００が示されている。カバレッジ５１は、ＤＬのみのセルのカバレッジであり、利用不能なカバレッジであるエリア５３を含む。この例では、端末装置３００は、ルート８１に沿って移動する。
【０１３９】
タイミングＴ１において、端末装置３００は、接続モードであり、隣接基地局２００に接続されている。
【０１４０】
タイミングＴ２において、端末装置３００におけるＤＬのみのセルの測定値が良くなり、端末装置３００は、隣接基地局２００への測定報告を行う。例えば、隣接基地局２００は、当該測定報告に応じて、上記ＤＬのみのセルを端末装置３００のセカンダリセルとして追加する。
【０１４１】
タイミングＴ３において、隣接基地局２００から基地局１００への端末装置３００のハンドオーバ（即ち、セル２１からセル１１へのハンドオーバ）が行われる。また、上記ＤＬのみのセルの測定値は閾値よりも良い。よって、基地局１００は、上記ＤＬのみのセルについてのＭＤＴ測定の開始を決定し、当該ＭＤＴ測定の開始を端末装置３００に指示する。また、基地局１００は、報告条件情報を端末装置３００へ送信する。端末装置３００は、当該ＭＤＴ測定を開始する。これ以降、端末装置３００は、上記ＭＤＴ測定を行い、（周期的に、又はイベントの発生に応じて）当該ＭＤＴ測定の結果を基地局１００に報告する。
【０１４２】
タイミングＴ４において、端末装置３００における上記ＤＬのみのセルの測定値が、上記報告条件情報により示される閾値よりも悪くなり、端末装置３００は、上記ＤＬのみのセルについての測定報告を行う。基地局１００は、当該測定報告に応じて、上記ＤＬのみのセルについての上記ＭＤＴ測定の終了を決定し、当該ＭＤＴ測定の終了を端末装置３００に指示する。端末装置３００は、当該ＭＤＴ測定を終了する。
【０１４３】
（ｂ）第２の例
図７は、ＤＬのみのセルについてのＭＤＴ測定の開始／終了の第２の例を説明するための説明図である。図７を参照すると、図１と同様に、基地局１００、隣接基地局２００、隣接基地局２００のリモートユニット５０、及び端末装置３００が示されている。カバレッジ５１は、ＤＬのみのセルのカバレッジであり、利用不能なカバレッジであるエリア５３を含む。この例では、端末装置３００は、ルート８３に沿って移動する。
【０１４４】
タイミングＴ１において、端末装置３００は、接続モードであり、基地局１００に接続されている。基地局１００は、報告条件情報を端末装置３００へ送信する。
【０１４５】
タイミングＴ２において、端末装置３００におけるＤＬのみのセルの測定値が、上記報告条件情報により示される閾値よりも良くなり、端末装置３００は、上記ＤＬのみのセルについての測定報告を行う。基地局１００は、当該測定報告に応じて、上記ＤＬのみのセルについての上記ＭＤＴ測定の開始を決定し、当該ＭＤＴ測定の開始を端末装置３００に指示する。端末装置３００は、当該ＭＤＴ測定を開始する。これ以降、端末装置３００は、上記ＭＤＴ測定を行い、（周期的に、又はイベントの発生に応じて）当該ＭＤＴ測定の結果を基地局１００に報告する。
【０１４６】
タイミングＴ３において、基地局１００は、基地局１００から隣接基地局２００への端末装置３００のハンドオーバ（即ち、セル１１からセル２１へのハンドオーバ）を決定する。よって、基地局１００は、上記ＤＬのみのセルについての上記ＭＤＴ測定の終了を決定し、当該ＭＤＴ測定の終了を端末装置３００に指示する。端末装置３００は、上記ＤＬのみのセルについての上記ＭＤＴ測定を終了する。
【０１４７】
以上のように、端末装置３００は、利用不能なカバレッジに入った場合に、上記ＭＤＴ測定を開始し、当該利用不能なカバレッジから出た場合に、上記ＭＤＴ測定し得る。
【０１４８】
なお、タイミングＴ２〜Ｔ３の間に、測定期間が満了した場合には、基地局１００は、当該満了に応じて上記ＭＤＴ測定の終了を決定する。
【０１４９】
（５）処理の流れ
図８〜図１０を参照して、第１の実施形態に係る処理の流れの例を説明する。
【０１５０】
（ａ）第１の例
図８は、第１の実施形態に係る基地局及び端末装置の処理の概略的な流れの第１の例を示すシーケンス図である。当該第１の例では、端末装置３００は、例えば図６に示されるようにルート８１に沿って移動する。
【０１５１】
端末装置３００は、隣接基地局２００に接続されている（Ｓ５０１）。即ち、端末装置３００は、接続モードである。
【０１５２】
端末装置３００の測定（measurements）の結果において、カバレッジ１１を有する基地局１００のセルが、カバレッジ２１を有する隣接基地局２００のセルよりも良くなる。そのため、端末装置３００は、隣接基地局２００への測定報告（measurement  reporting）を行う。即ち、端末装置３００は、測定報告（measurement  report）を隣接基地局２００へ送信する。例えば図６に示されるタイミングＴ３において、端末装置３００は、このような測定報告を行う。なお、例えば、端末装置３００により送信される測定報告（measurement  report）には、カバレッジ１１を有する基地局１００のセルの測定値のみではなく、カバレッジ５１を有するＤＬのみのセルの測定値も含まれる。
【０１５３】
隣接基地局２００は、上記測定報告に応じて、隣接基地局２００から基地局１００への端末装置３００のハンドオーバ（即ち、セル２１からセル１１へのハンドオーバ）を決定する（Ｓ５０５）。当該ハンドオーバは、ｅＮＢ間ハンドオーバ（Inter-eNB  Handover）である。
【０１５４】
隣接基地局２００は、Ｈａｎｄｏｖｅｒ  Ｒｅｑｕｅｓｔメッセージを基地局１００へ送信する（Ｓ５０７）。このメッセージは、ＭＤＴコンフィギュレーションと、上記ＤＬのみのセルの上記測定値とを含む。当該ＭＤＴコンフィギュレーションは、ネットワークノード４００により（例えば隣接基地局２００へ）送信された情報である。当該ＭＤＴコンフィギュレーションは、報告条件情報を含む。
【０１５５】
基地局１００は、上記ＤＬのみのセルの上記測定値が閾値よりも良ければ、上記ＤＬのみのセルについてのＩｍｍｅｄｉａｔｅ  ＭＤＴ測定の開始を決定する（Ｓ５０９）。端末装置３００が上記ハンドオーバ後に上記ＤＬのみのセル内に位置する（即ち、利用不能なカバレッジ内に位置する）と想定されるからである。なお、上記閾値は、上記報告条件情報により示される閾値と同じものであってもよく、又は異なるもの（例えば、上記ＭＤＴコンフィギュレーションに含まれる他の情報により示されるもの）であってもよい。
【０１５６】
基地局１００は、上記ＭＤＴコンフィギュレーションに含まれる上記報告条件情報を取得し、当該報告条件情報を含むＨａｎｄｏｖｅｒ  Ｃｏｍｍａｎｄメッセージを隣接基地局２００へ送信する（Ｓ５１１）。そして、隣接基地局２００は、当該Ｈａｎｄｏｖｅｒ  Ｃｏｍｍａｎｄメッセージを端末装置３００へ送信する（Ｓ５１３）。上記報告条件情報は、上記ＤＬのみのセルの測定値と比較される閾値を示す。上記報告条件情報は、上記ＤＬのみのセルをさらに示してもよい。あるいは、上記報告条件情報は、上記ＤＬのみのセルを示さないが、上記Ｈａｎｄｏｖｅｒ  Ｃｏｍｍａｎｄメッセージが、上記ＤＬのみのセルを示す他の情報を含んでもよい。
【０１５７】
端末装置３００は、Ｈａｎｄｏｖｅｒ  Ｃｏｎｆｉｒｍメッセージを基地局１００へ送信し（Ｓ５１５）、上記ＤＬのみのセルについてのＩｍｍｅｄｉａｔｅ  ＭＤＴ測定を開始する（Ｓ５１７）。基地局１００は、測定期間の満了の監視を開始する。
【０１５８】
端末装置３００は、Ｉｍｍｅｄｉａｔｅ  ＭＤＴ測定を行い、測定結果を含む測定報告（measurement  report）を基地局１００へ送信する（Ｓ５１９、Ｓ５２３）。基地局１００は、当該測定結果を保存する（Ｓ５２１、Ｓ５２５）。
【０１５９】
その後、上記ＤＬのみのセルの測定値（ＲＳＲＰ／ＲＳＲＱ）が、上記報告条件情報により示される閾値よりも悪くなる（Ｓ５２７）。よって、端末装置３００は、上記ＤＬのみのセルについての測定報告（measurement  reporting）を行う（Ｓ５２９）。即ち、端末装置３００は、上記ＤＬのみのセルについての測定報告（measurement  report）を基地局１００へ送信する。例えば図６に示されるタイミングＴ４において、端末装置３００は、このような測定報告を行う。
【０１６０】
基地局１００は、端末装置３００により行われる上記測定報告に応じて、上記Ｉｍｍｅｄｉａｔｅ  ＭＤＴ測定の終了を決定する（Ｓ５３１）。その後、基地局１００は、上記Ｉｍｍｅｄｉａｔｅ  ＭＤＴ測定の終了を指示するメッセージ（例えば、ＲＲＣ  Ｃｏｎｎｅｃｔｉｏｎ  Ｒｅｃｏｎｆｉｇｕｒａｔｉｏｎメッセージ）を端末装置３００へ送信し得る。
【０１６１】
以上、第１の実施形態に係る基地局及び端末装置の処理の概略的な流れの第１の例を説明した。
【０１６２】
なお、ステップＳ５２７のように上記測定値が上記閾値より悪くなる前に、上記測定期間が満了することもあり得る。即ち、端末装置３００は、利用不能なカバレッジ内に、上記測定期間よりも長くとどまり得る。このような場合にも、基地局１００は、上記測定期間の満了に応じて、上記Ｉｍｍｅｄｉａｔｅ  ＭＤＴ測定の終了を決定する。
【０１６３】
また、ステップＳ５２７のように上記測定値が上記閾値より悪くなる前に、基地局１００から隣接基地局２００へのハンドオーバが行われ得る。即ち、端末装置３００は、基地局１００のセルのカバレッジ１１から、隣接基地局２００のセルのカバレッジ２１へ戻り得る。このような場合にも、基地局１００は、上記ハンドオーバに応じて、上記Ｉｍｍｅｄｉａｔｅ  ＭＤＴ測定の終了を決定する。
【０１６４】
（ｂ）第２の例
図９は、第１の実施形態に係る基地局及び端末装置の処理の概略的な流れの第２の例を示すシーケンス図である。当該第２の例では、端末装置３００は、例えば図７に示されるようにルート８３に沿って移動する。
【０１６５】
まず、端末装置３００は、基地局１００に接続されている（Ｓ５４１）。即ち、端末装置３００は、接続モードである。
【０１６６】
基地局１００は、ＭＤＴコンフィギュレーションに含まれる報告条件情報を取得し、当該報告条件情報を含むＲＲＣ  Ｃｏｎｎｅｃｔｉｏｎ  Ｒｅｃｏｎｆｉｇｕｒａｔｉｏｎメッセージを端末装置３００へ送信する（Ｓ５４３）。上記報告条件情報は、ＤＬのみのセルの測定値と比較される閾値を示す。上記報告条件情報は、上記ＤＬのみのセルをさらに示してもよい。あるいは、上記報告条件情報は、上記ＤＬのみのセルを示さないが、上記ＲＲＣ  Ｃｏｎｎｅｃｔｉｏｎ  Ｒｅｃｏｎｆｉｇｕｒａｔｉｏｎメッセージが、上記ＤＬのみのセルを示す他の情報を含んでもよい。
【０１６７】
端末装置３００は、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを基地局１００へ送信する（Ｓ５４５）。基地局１００は、第１の測定期間の満了の監視を開始する。
【０１６８】
その後、上記ＤＬのみのセルの測定値（ＲＳＲＰ／ＲＳＲＱ）が、上記報告条件情報により示される閾値よりも良くなる（Ｓ５４７）。よって、端末装置３００は、上記ＤＬのみのセルについての測定報告（measurement  reporting）を行う（Ｓ５４９）。即ち、端末装置３００は、上記ＤＬのみのセルについての測定報告（measurement  report）を基地局１００へ送信する。例えば図７に示されるタイミングＴ２において、端末装置３００は、このような測定報告を行う。
【０１６９】
基地局１００は、端末装置３００により行われる上記測定報告に応じて、上記ＤＬのみのセルについてのＩｍｍｅｄｉａｔｅ  ＭＤＴ測定の開始を決定する（Ｓ５５１）。そして、基地局１００は、上記Ｉｍｍｅｄｉａｔｅ  ＭＤＴ測定の開始を指示するＲＲＣ  Ｃｏｎｎｅｃｔｉｏｎ  Ｒｅｃｏｎｆｉｇｕｒａｔｉｏｎメッセージを端末装置３００へ送信する（Ｓ５５３）。当該ＲＲＣ  Ｃｏｎｎｅｃｔｉｏｎ  Ｒｅｃｏｎｆｉｇｕｒａｔｉｏｎメッセージは、上記ＤＬのみのセルを示すセル情報を含む。
【０１７０】
端末装置３００は、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを基地局１００へ送信し（Ｓ５５５）、上記ＤＬのみのセルについてのＩｍｍｅｄｉａｔｅ  ＭＤＴ測定を開始する（Ｓ５５７）。基地局１００は、第２の測定期間の満了の監視を開始する。当該第２の測定期間は、上記第１の測定期間と同じであってもよく、又は異なってもよい。
【０１７１】
端末装置３００は、Ｉｍｍｅｄｉａｔｅ  ＭＤＴ測定を行い、測定結果を含む測定報告（measurement  report）を基地局１００へ送信する（Ｓ５５９、Ｓ５６３）。基地局１００は、当該測定結果を保存する（Ｓ５６１、Ｓ５６５）。
【０１７２】
端末装置３００の測定（measurements）の結果において、カバレッジ２１を有する隣接基地局２００のセルが、カバレッジ１１を有する基地局１００のセルよりも良くなる。そのため、端末装置３００は、基地局１００への測定報告（measurement  reporting）を行う（Ｓ５６７）。即ち、端末装置３００は、測定報告（measurement  report）を基地局１００へ送信する。例えば図７に示されるタイミングＴ３において、端末装置３００は、このような測定報告を行う。
【０１７３】
基地局１００は、上記測定報告に応じて、基地局１００から隣接基地局２００への端末装置３００のハンドオーバ（即ち、セル１１からセル２１へのハンドオーバ）を決定する（Ｓ５６９）。当該ハンドオーバは、ｅＮＢ間ハンドオーバ（Inter-eNB  Handover）である。その後、基地局１００は、上記Ｉｍｍｅｄｉａｔｅ  ＭＤＴ測定の終了を指示するメッセージ（例えば、Ｈａｎｄｏｖｅｒ  Ｃｏｍｍａｎｄ）を端末装置３００へ送信し得る。
【０１７４】
以上、第１の実施形態に係る基地局及び端末装置の処理の概略的な流れの第２の例を説明した。
【０１７５】
なお、ステップＳ５４７のように、上記ＤＬのみのセルの上記測定値が、上記報告条件情報により示される閾値よりも良くなる前に、上記第１の測定期間が満了することもあり得る。即ち、端末装置３００は、上記第１の測定期間が満了しても、利用不能なカバレッジ内に入らないこともあり得る。このような場合には、基地局１００は、端末装置３００による上記Ｉｍｍｅｄｉａｔｅ  ＭＤＴ測定の実行を諦める。
【０１７６】
また、ステップＳ５６９のように基地局１００が上記ハンドオーバを決定する前に、上記第２の測定期間が満了することもあり得る。即ち、端末装置３００は、利用不能なカバレッジ内に、上記第２の測定期間よりも長くとどまり得る。このような場合にも、基地局１００は、上記第２の測定期間の満了に応じて、上記Ｉｍｍｅｄｉａｔｅ  ＭＤＴ測定の終了を決定する。
【０１７７】
また、ステップＳ５６９のように基地局１００が上記ハンドオーバを決定する前に、上記ＤＬのみのセルの測定値（ＲＳＲＰ／ＲＳＲＱ）が、上記報告条件情報により示される閾値よりも悪くなることもあり得る。即ち、端末装置３００が、上記ＤＬのみのセルのカバレッジ５１から出ることもあり得る。このような場合にも、基地局１００は、上記Ｉｍｍｅｄｉａｔｅ  ＭＤＴ測定の終了を決定する。
【０１７８】
（ｃ）その他
図１０は、第１の実施形態に係る基地局１００及びネットワークノード４００の処理の概略的な流れの一例を示すシーケンス図である。
【０１７９】
ネットワークノード４００は、ＭＤＴコンフィギュレーションを基地局１００へ送信する（Ｓ５８１）。例えば、当該ＭＤＴコンフィギュレーションは、上記報告条件情報及び上記期間情報を含む。
【０１８０】
その後、基地局１００、隣接基地局２００及び端末装置３００は、図８又は図９を参照して説明したような処理を行う。
【０１８１】
そして、基地局１００は、端末装置３００により報告されたＭＤＴ測定の結果をネットワークノード４００に報告する（Ｓ５８３）。
【０１８２】
なお、基地局１００は、上記ＭＤＴ測定の結果を、ネットワークノード４００とは異なるネットワークノードに報告してもよい。
【０１８３】
＜＜５．第２の実施形態＞＞
続いて、図１１〜図１３を参照して、本発明の第２の実施形態を説明する。
【０１８４】
＜５．１．基地局の構成例＞
まず、図１１を参照して、第２の実施形態に係る基地局１００の構成の例を説明する。図１１は、第２の実施形態に係る基地局１００の概略的な構成の例を示すブロック図ある。図１１を参照すると、基地局１００は、情報取得部１５１及び通信処理部１５３を備える。
【０１８５】
情報取得部１５１及び通信処理部１５３の具体的な動作は後に説明する。
【０１８６】
情報取得部１５１及び通信処理部１５３は、ベースバンド（ＢＢ）プロセッサ及び／又は他のプロセッサなどで実装されてもよい。
【０１８７】
＜５．２．端末装置の構成例＞
次に、図１２を参照して、第２の実施形態に係る端末装置３００の構成の例を説明する。図１２は、第２の実施形態に係る端末装置３００の概略的な構成の例を示すブロック図ある。図１２を参照すると、端末装置３００は、情報取得部３４１及び報告部３４３を含む。
【０１８８】
情報取得部３４１及び報告部３４３の具体的な動作は後に説明する。
【０１８９】
情報取得部３４１及び報告部３４３は、ベースバンド（ＢＢ）プロセッサ及び／又は他のプロセッサなどで実装されてもよい。
【０１９０】
＜５．３．技術的特徴＞
次に、図１３を参照して、第２の実施形態に係る技術的特徴を説明する。
【０１９１】
（１）報告条件情報
基地局１００（情報取得部１５１）は、基地局１００に対して端末装置３００が行う報告の条件に関する報告条件情報を取得する。そして、基地局１００（通信処理部１５３）は、上記報告条件情報を端末装置３００へ送信する。とりわけ、上記報告は、ＤＬのみのセルについてのＭＤＴ測定の開始又は終了を決定するために用いられる報告である。
【０１９２】
端末装置３００（情報取得部３４１）は、上記報告条件情報を取得する。そして、端末装置３００（報告部３４３）は、上記報告条件情報に基づいて、上記ＤＬのみのセルについての報告を行う。
【０１９３】
「ＭＤＴ測定」、「ＤＬのみのセル」、「報告」、「報告条件情報の内容」、「報告条件情報の取得」、「報告条件情報の送信」及び「報告、及び、ＭＤＴ測定の開始／終了の決定」についての説明は、例えば、符号の相違（即ち、情報取得部１５１と情報取得部１４１との相違、通信処理部１５３と通信処理部１４３との相違、情報取得部３４１と情報取得部３３１との相違、及び、報告部３４３と報告部３３５との相違）を除き、第１の実施形態における説明と同じである。よって、ここでは重複する説明を省略する。
【０１９４】
（２）処理の流れ
図１３を参照して、第２の実施形態に係る処理の流れの例を説明する。図１３は、第２の実施形態に係る基地局１００及び端末装置３００の処理の概略的な流れの一例を示すシーケンス図である。
【０１９５】
基地局１００は、基地局１００に対して端末装置３００が行う報告の条件に関する報告条件情報を取得し、当該報告条件情報を端末装置３００へ送信する（Ｓ６０１）。上記報告は、ＤＬのみのセルについてのＭＤＴ測定の開始又は終了を決定するために用いられる報告である。
【０１９６】
端末装置３００は、上記報告条件情報を取得し、上記報告条件情報に基づいて、上記ＤＬのみのセルについての報告を行う。
【０１９７】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【０１９８】
例えば、ＤＬのみのセルがスモールセルである例を主として説明したが、本発明は係る例に限定されない。例えば、ＤＬのみのセルはマクロセルであってもよい。
【０１９９】
また、例えば、「測定値が閾値よりも良い」という表現は、「測定値が閾値よりも大きい」と読み替えられてもよく、「測定値が閾値よりも悪い」という表現は、「測定値が閾値よりも小さい」と読み替えられてもよい。
【０２００】
また、例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【０２０１】
また、本明細書において説明した基地局の構成要素（例えば、情報取得部、通信処理部及び／又は制御部）を備える基地局装置（例えば、ＢＢＵ（Base  Band  Unit）を含む装置、若しくはＢＢＵ）又はそのモジュール（例えば、ＢＢＵ、若しくはＢＢＵのモジュール）が提供されてもよい。また、本明細書において説明した端末装置の構成要素（例えば、情報取得部、測定部、及び／又は報告部）を備えるモジュールが提供されてもよい。また、本明細書において説明したネットワークノードの構成要素（例えば、情報取得部、及び／又は通信処理部）を備えるモジュールが提供されてもよい。また、このような構成要素の処理を含む方法が提供されてもよく、このような構成要素の処理をプロセッサに実行させるためのプログラムが提供されてもよい。また、当該プログラムを記録した記録媒体が提供されてもよい。当然ながら、このような基地局装置、モジュール、方法、プログラム及び記録媒体も本発明に含まれる。
【０２０２】
上記実施形態の一部又は全部は、以下の付記のようにも記載され得るが、以下には限られない。
【０２０３】
（付記１）
基地局に対して端末装置が行う報告の条件に関する報告条件情報を取得する情報取得部と、
前記報告条件情報を前記端末装置へ送信する通信処理部と、
を備え、
前記報告は、ダウンリンクのみのセルについてのＭＤＴ（Minimization  of  Drive  Tests）測定の開始又は終了を決定するために用いられる報告である、
装置。
【０２０４】
（付記２）
前記報告条件情報に基づいて前記端末装置により行われる報告に応じて、前記ＭＤＴ測定の開始又は終了を決定する制御部、をさらに備える、付記１に記載の装置。
【０２０５】
（付記３）
前記通信処理部は、前記ＭＤＴ測定の開始又は終了を指示するメッセージを前記端末装置へ送信する、付記２に記載の装置。
【０２０６】
（付記４）
前記報告条件情報は、前記ダウンリンクのみのセルの測定値と比較される閾値を示す、付記１〜３のいずれか１項に記載の装置。
【０２０７】
（付記５）
前記報告の前記条件は、前記測定値が前記閾値よりも良くなること、又は、前記測定値が前記閾値よりも悪くなることを含む、付記４に記載の装置。
【０２０８】
（付記６）
前記測定値が前記閾値よりも良くなる場合に前記端末装置により行われる報告に応じて、前記ＭＤＴ測定の開始を決定する制御部、をさらに備える、付記４又は５に記載の装置。
【０２０９】
（付記７）
前記測定値が前記閾値よりも悪くなる場合に前記端末装置により行われる報告に応じて、前記ＭＤＴ測定の終了を決定する制御部、をさらに備える、付記４〜６のいずれか１項に記載の装置。
【０２１０】
（付記８）
前記報告条件情報は、前記ダウンリンクのみのセルを示す、付記１〜７のいずれか１項に記載の装置。
【０２１１】
（付記９）
前記装置は、前記基地局、前記基地局のための基地局装置、又は当該基地局装置のためのモジュールである、付記１〜８のいずれか１項に記載の装置。
【０２１２】
（付記１０）
前記ダウンリンクのみのセルは、前記基地局とは異なる他の基地局のセルである、付記９に記載の装置。
【０２１３】
（付記１１）
前記報告条件情報は、前記他の基地局により前記基地局へ送信される情報である、付記１０に記載の装置。
【０２１４】
（付記１２）
前記他の基地局から前記基地局への前記端末装置のハンドオーバに応じて、前記ＭＤＴ測定の開始を決定する制御部、をさらに備える、付記１０又は１１に記載の装置。
【０２１５】
（付記１３）
前記制御部は、前記端末装置における前記ダウンリンクのみのセルの測定値が閾値よりも良ければ、前記ハンドオーバに応じて前記ＭＤＴ測定の開始を決定する、付記１２に記載の装置。
【０２１６】
（付記１４）
前記基地局から前記他の基地局への前記端末装置のハンドオーバの決定に応じて、前記ＭＤＴ測定の終了を決定する制御部、をさらに備える、付記１０〜１３のいずれか１項に記載の装置。
【０２１７】
（付記１５）
測定期間の満了に応じて前記ＭＤＴ測定の終了を決定する制御部をさらに備える、付記１〜１４のいずれか１項に記載の装置。
【０２１８】
（付記１６）
基地局に対して端末装置が行う報告の条件に関する報告条件情報であって、当該基地局により送信される当該報告条件情報を取得する情報取得部と、
前記報告条件情報に基づいて、ダウンリンクのみのセルについての報告を行う報告部と、
を備え、
前記報告は、前記ダウンリンクのみのセルについてのＭＤＴ測定の開始又は終了を決定するために用いられる報告である、
装置。
【０２１９】
（付記１７）
前記報告条件情報は、前記ダウンリンクのみのセルの測定値と比較される閾値を示し、
前記報告部は、前記測定値が前記閾値よりも良くなる場合に、前記ダウンリンクのみのセルについての前記報告を行う、
付記１６に記載の装置。
【０２２０】
（付記１８）
前記報告条件情報は、前記ダウンリンクのみのセルの測定値と比較される閾値を示し、
前記報告部は、前記測定値が前記閾値よりも悪くなる場合に、前記ダウンリンクのみのセルについての前記報告を行う、
付記１６又は１７に記載の装置。
【０２２１】
（付記１９）
前記ＭＤＴ測定の開始又は終了を指示するメッセージであって、前記基地局により送信される当該メッセージの受信に応じて、前記ＭＤＴ測定を開始し又は終了する測定部、をさらに備える、付記１６〜１８のいずれか１項に記載の装置。
【０２２２】
（付記２０）
基地局に対して端末装置が行う報告の条件に関する報告条件情報を取得する情報取得部と、
前記報告条件情報を前記基地局へ送信する通信処理部と、
を備え、
前記報告は、ダウンリンクのみのセルについてのＭＤＴ測定の開始又は終了を決定するために用いられる報告である、
装置。
【０２２３】
（付記２１）
前記ＭＤＴ測定は、接続モードでのＭＤＴ測定である、付記１〜２０のいずれか１項に記載の装置。
【０２２４】
（付記２２）
前記ＭＤＴ測定は、Ｉｍｍｅｄｉａｔｅ  ＭＤＴ測定である、付記２１に記載の装置。
【０２２５】
（付記２３）
前記ダウンリンクのみのセルは、ダウンリンク専用帯域のセルである、付記１〜２２のいずれか１項に記載の装置。
【０２２６】
（付記２４）
前記ダウンリンク専用帯域は、Ｂａｎｄ  ２９又はＢａｎｄ３２である、付記２３に記載の装置。
【０２２７】
（付記２５）
前記報告は、測定報告である、付記１〜２４のいずれか１項に記載の装置。
【０２２８】
（付記２６）
基地局に対して端末装置が行う報告の条件に関する報告条件情報を取得することと、
前記報告条件情報を前記端末装置へ送信することと、
を含み、
前記報告は、ダウンリンクのみのセルについてのＭＤＴ測定の開始又は終了を決定するために用いられる報告である、
方法。
【０２２９】
（付記２７）
基地局に対して端末装置が行う報告の条件に関する報告条件情報であって、当該基地局により送信される当該報告条件情報を取得することと、
前記報告条件情報に基づいて、ダウンリンクのみのセルについての報告を行うことと、
を含み、
前記報告は、前記ダウンリンクのみのセルについてのＭＤＴ測定の開始又は終了を決定するために用いられる報告である、
方法。
【０２３０】
（付記２８）
基地局に対して端末装置が行う報告の条件に関する報告条件情報を取得することと、
前記報告条件情報を前記基地局へ送信することと、
を含み、
前記報告は、ダウンリンクのみのセルについてのＭＤＴ測定の開始又は終了を決定するために用いられる報告である、
方法。
【０２３１】
（付記２９）
基地局に対して端末装置が行う報告の条件に関する報告条件情報を当該端末装置へ送信する当該基地局と、
前記報告条件情報に基づいて、ダウンリンクのみのセルについての報告を行う前記端末装置と、
を含み、
前記報告は、前記ダウンリンクのみのセルについてのＭＤＴ測定の開始又は終了を決定するために用いられる報告である、
システム。
【０２３２】
（付記３０）
基地局において、当該基地局に対して端末装置が行う報告の条件に関する報告条件情報を当該端末装置へ送信することと、
前記端末装置において、前記報告条件情報に基づいて、ダウンリンクのみのセルについての報告を行うことと、
を含み、
前記報告は、前記ダウンリンクのみのセルについてのＭＤＴ測定の開始又は終了を決定するために用いられる報告である、
方法。
【０２３３】
（付記３１）
基地局に対して端末装置が行う報告の条件に関する報告条件情報を取得することと、
前記報告条件情報を前記端末装置へ送信することと、
をプロセッサに実行させるためのプログラムであり、
前記報告は、ダウンリンクのみのセルについてのＭＤＴ測定の開始又は終了を決定するために用いられる報告である、
プログラム。
【０２３４】
（付記３２）
基地局に対して端末装置が行う報告の条件に関する報告条件情報を取得することと、
前記報告条件情報を前記端末装置へ送信することと、
をプロセッサに実行させるためのプログラムを記録した読み取り可能な記録媒体であり、
前記報告は、ダウンリンクのみのセルについてのＭＤＴ測定の開始又は終了を決定するために用いられる報告である、
記録媒体。
【０２３５】
（付記３３）
基地局に対して端末装置が行う報告の条件に関する報告条件情報であって、当該基地局により送信される当該報告条件情報を取得することと、
前記報告条件情報に基づいて、ダウンリンクのみのセルについての報告を行うことと、
をプロセッサに実行させるためのプログラムであり、
前記報告は、前記ダウンリンクのみのセルについてのＭＤＴ測定の開始又は終了を決定するために用いられる報告である、
プログラム。
【０２３６】
（付記３４）
基地局に対して端末装置が行う報告の条件に関する報告条件情報であって、当該基地局により送信される当該報告条件情報を取得することと、
前記報告条件情報に基づいて、ダウンリンクのみのセルについての報告を行うことと、
をプロセッサに実行させるためのプログラムを記録した読み取り可能な記録媒体であり、
前記報告は、前記ダウンリンクのみのセルについてのＭＤＴ測定の開始又は終了を決定するために用いられる報告である、
記録媒体。
【０２３７】
（付記３５）
基地局に対して端末装置が行う報告の条件に関する報告条件情報を取得することと、
前記報告条件情報を前記基地局へ送信することと、
をプロセッサに実行させるためのプログラムであり、
前記報告は、ダウンリンクのみのセルについてのＭＤＴ測定の開始又は終了を決定するために用いられる報告である、
プログラム。
【０２３８】
（付記３６）
基地局に対して端末装置が行う報告の条件に関する報告条件情報を取得することと、
前記報告条件情報を前記基地局へ送信することと、
をプロセッサに実行させるためのプログラムを記録した読み取り可能な記録媒体であり、
前記報告は、ダウンリンクのみのセルについてのＭＤＴ測定の開始又は終了を決定するために用いられる報告である、
記録媒体。
【０２３９】
（付記３７）
前記装置は、前記端末装置、又は前記端末装置のためのモジュールである、付記１６〜１９のいずれか１項に記載の装置。
【０２４０】
（付記３８）
前記装置は、コアネットワークノード、又はコアネットワークノードのためのモジュールである、付記２０に記載の装置。
【０２４１】
この出願は、２０１５年９月１１日に出願された日本出願特願２０１５−１７９９２４を基礎とする優先権を主張し、その開示の全てをここに取り込む。
【符号の説明】
【０２４２】
１                システム
１１、２１、５１  （セルの）カバレッジ
５０              リモートユニット
５３              エリア（利用不能なカバレッジ／無駄なカバレッジ）
６０              ネットワーク
１００            基地局
１４１、１５１    情報取得部
１４３、１５３    通信処理部
１４５            制御部
２００            隣接基地局
３００            端末装置
３３１、３４１    情報取得部
３３３            測定部
３３５、３４３    報告部
４００            ネットワークノード
４３１            情報取得部
４３３            通信処理部
【図１】
2017043475.tif 000003
【図２】
2017043475.tif 000004
【図３】
2017043475.tif 000005
【図４】
2017043475.tif 000006
【図５】
2017043475.tif 000007
【図６】
2017043475.tif 000008
【図７】
2017043475.tif 000009
【図８】
2017043475.tif 000010
【図９】
2017043475.tif 000011
【図１０】
2017043475.tif 000012
【図１１】
2017043475.tif 000013
【図１２】
2017043475.tif 000014
【図１３】
2017043475.tif 000015
【国際調査報告】
2017043475.tif 000016
2017043475.tif 000017
2017043475.tif 000018
2017043475.tif 000019